(57)【要約】【課題】上書き可能な光ディスクに初めて上書きをする際の上書き特性を向上させることができる光ディスク装置を提供する。【解決手段】本発明の光ディスク装置１は、光ディスク２を装着して回転させる回転駆動機構と、装着された光ディスク２に対し、その径方向に移動可能に設けられ、光ディスク２にレーザ光を照射して情報（データ）を上書きし得る光学ヘッド３と、光学ヘッド３を径方向に移動させるスレッドモータ７を備えた光学ヘッド移動機構とを有している。そして、光ディスク２が記録履歴のないブランクディスクである場合、すなわち、光ディスク２に対する１回目の記録においては、上書き時に光ディスク２に照射するレーザ光のパワーよりも所定のレベルだけ低いパワーで記録を行う。【選択図】図１
2004296027.tif 000002
【特許請求の範囲】
【請求項１】
光ディスクを装着して回転させる回転駆動機構と、光ディスクにレーザ光を照射して情報を上書きし得る光学ヘッドとを有し、前記光学ヘッドを介して前記光ディスクに対し記録又は記録・再生する光ディスク装置であって、
前記光ディスクが記録履歴のないブランクディスクである場合は、上書き時に前記光ディスクに照射するレーザ光のパワーよりも所定のレベルだけ低いパワーで記録し得るよう構成されていることを特徴とする光ディスク装置。
【請求項２】
前記所定のレベルは、５％〜３０％である請求項１に記載の光ディスク装置。
【請求項３】
前記所定のレベルは、１０％〜２０％である請求項１又は２に記載の光ディスク装置。
【請求項４】
前記光ディスクが、記録履歴のないブランクディスクであるか否かを識別するブランクディスク識別手段を有する請求項１乃至３のいずれかに記載の光ディスク装置。
【請求項５】
前記ブランクディスク識別手段は、前記光学ヘッドを介して前記光ディスクから所定の信号の検出を試み、該所定の信号が検出されない場合、前記光ディスクを前記ブランクディスクと識別するよう構成されている請求項４に記載の光ディスク装置。
【請求項６】
前記光学ヘッドが前記光ディスクのトラックを横切るように該光学ヘッドを移動させつつ、前記所定の信号の検出を行うよう構成されている請求項５に記載の光ディスク装置。
【請求項７】
前記光学ヘッドを、少なくとも前記光ディスクの記録が可能な領域の一端から他端まで移動させつつ、前記所定の信号の検出を行うよう構成されている請求項５又は６に記載の光ディスク装置。
【請求項８】
前記所定の信号は、ＨＦ信号である請求項５乃至７のいずれかに記載の光ディスク装置。
【請求項９】
前記光ディスクは、ＣＤ−ＲＷである請求項１乃至８のいずれかに記載の光ディスク装置。
【発明の詳細な説明】
【０００１】
【発明の属する技術分野】
本発明は、光ディスク装置に関するものである。
【０００２】
【従来の技術】
ＣＤ−ＲＷ、ＤＶＤ−ＲＡＭ等の上書き（書き換え）が可能な光ディスクに対し記録・再生（上書き及び再生）する光ディスク装置が知られている。このデータあるいはオーディオデータの光ディスクへの上書きのことをダイレクトオーバーライト（ＤＯＷ：Ｄｉｒｅｃｔ  Ｏｖｅｒ  Ｗｒｉｔｅ）という。
【０００３】
ＣＤ−ＲＷなどの規格では、１０００回まで繰り返して上書き（書き換え）可能でなければならないと規定されている。記録時のレーザパワーを高めに設定すると、繰り返し上書きをした際の特性（繰り返し特性）が悪くなるが、特に２回目の書き込み特性（ジッタやビットエラーレートなど）が良くなる。逆に、記録時のレーザパワーを低めに設定すると、繰り返し特性が良くなるが、特に２回目の書き込み特性が悪化する。
【０００４】
そのため、通常、上記どちらの条件も満足できるように、記録可能な光ディスクに記録するときのレーザ光の書き込み出力（レーザパワー）をＯＰＣ（Ｏｐｔｉｍｕｍ  Ｐｏｗｅｒ  Ｃｏｎｔｒｏｌ  ）により決定している（ＯＰＣについては、例えば、特許文献１など）。そして、光ディスクへの上書きの際にもそのレーザパワーで記録している。
【０００５】
しかしながら、ＯＰＣで決められた最適なレーザパワーで光ディスクにデータなどを上書きする場合でも、ブランクディスク（ブランクメディア）に記録したときと同じレーザパワーで上書きをしてしまうので、上述のように、２回目の書き込み特性が特に悪化してしまうという問題があった。
【０００６】
【特許文献１】
特開２００２−１５０５５８号公報
【０００７】
【発明が解決しようとする課題】
本発明の目的は、上書き可能な光ディスクに初めて上書きをする際の上書き特性を向上させることができる光ディスク装置を提供することにある。
【０００８】
【課題を解決するための手段】
このような目的は、下記（１）〜（９）の本発明により達成される。
【０００９】
（１）  光ディスクを装着して回転させる回転駆動機構と、光ディスクにレーザ光を照射して情報を上書きし得る光学ヘッドとを有し、前記光学ヘッドを介して前記光ディスクに対し記録又は記録・再生する光ディスク装置であって、
前記光ディスクが記録履歴のないブランクディスクである場合は、上書き時に前記光ディスクに照射するレーザ光のパワーよりも所定のレベルだけ低いパワーで記録し得るよう構成されていることを特徴とする光ディスク装置。
【００１０】
（２）  前記所定のレベルは、５％〜３０％である上記（１）に記載の光ディスク装置。
【００１１】
（３）  前記所定のレベルは、１０％〜２０％である上記（１）又は（２）に記載の光ディスク装置。
【００１２】
（４）  前記光ディスクが、記録履歴のないブランクディスクであるか否かを識別するブランクディスク識別手段を有する上記（１）乃至（３）のいずれかに記載の光ディスク装置。
【００１３】
（５）  前記ブランクディスク識別手段は、前記光学ヘッドを介して前記光ディスクから所定の信号の検出を試み、該所定の信号が検出されない場合、前記光ディスクを前記ブランクディスクと識別するよう構成されている上記（４）に記載の光ディスク装置。
【００１４】
（６）  前記光学ヘッドが前記光ディスクのトラックを横切るように該光学ヘッドを移動させつつ、前記所定の信号の検出を行うよう構成されている上記（５）に記載の光ディスク装置。
【００１５】
（７）  前記光学ヘッドを、少なくとも前記光ディスクの記録が可能な領域の一端から他端まで移動させつつ、前記所定の信号の検出を行うよう構成されている上記（５）又は（６）に記載の光ディスク装置。
【００１６】
（８）  前記所定の信号は、ＨＦ信号である上記（５）乃至（７）のいずれかに記載の光ディスク装置。
【００１７】
（９）  前記光ディスクは、ＣＤ−ＲＷである上記（１）乃至（８）のいずれかに記載の光ディスク装置。
【００１８】
【発明の実施の形態】
以下、本発明の光ディスク装置を添付図面に示す好適実施形態に基づいて詳細に説明する。なお、この実施形態は例示として挙げるものであり、これにより本発明の内容を限定的に解釈すべきではない。
【００１９】
図１は、本発明の光ディスク装置の実施形態を示すブロック図である。
同図に示す光ディスク装置１は、上書き（書き換え）が可能な光ディスク（ＣＤ−ＲＷ等）２に対し記録・再生（記録及び再生）するドライブ装置、すなわち、光ディスク２に対し書き込み、上書き（書き換え）及び再生することができるドライブ装置である。
【００２０】
光ディスク２には、図示しない螺旋状のプリグルーブ（ＷＯＢＢＬＥ：ウォブル）が形成されている。
【００２１】
このプリグルーブは、所定の周期（１倍速で２２．０５ｋＨｚ  ）で蛇行しているとともに、該プリグルーブには、ＡＴＩＰ（Ａｂｓｏｌｕｔｅ  Ｔｉｍｅ  Ｉｎ  Ｐｒｅ−Ｇｒｏｏｖｅ  ）情報（時間情報）が記録されている。この場合、ＡＴＩＰ情報は、バイフェーズ変調され、さらに、２２．０５ｋＨｚ  のキャリア周波数でＦＭ変調されて記録されている。
【００２２】
このプリグルーブは、光ディスク２へのピット／ランド形成（ピット／ランド記録）時の案内溝として機能する。また、このプリグルーブは、再生され、光ディスク２の回転速度制御や、光ディスク２上の記録位置（絶対時間）の特定等に利用される。
【００２３】
光ディスク装置１は、光ディスク２を装着して複数段階の回転速度（回転数）で回転させる回転駆動機構を有している。この回転駆動機構は、主に、ターンテーブル回転用のスピンドルモータ１１と、スピンドルモータ１１を駆動するドライバ２３と、スピンドルモータ１１の回転軸に固定され、光ディスク２が装着される図示しないターンテーブルとで構成されている。
【００２４】
また、光ディスク装置１は、装着された光ディスク２（ターンテーブル）に対し、光ディスク２の径方向（ターンテーブルの径方向）に移動し得る光学ヘッド（光ピックアップ）３と、この光学ヘッド３を径方向に移動させる光学ヘッド移動機構と、制御手段９と、ＲＦアンプＩＣ４０と、サーボプロセッサ（ＤＳＰ）５１と、デコーダ５２と、メモリー（例えば、ＲＡＭ等）５３と、レーザ制御部５４と、エンコーダ５５とを有している。以下、光ディスク２の径方向を単に「径方向」と言う。
【００２５】
光学ヘッド移動機構は、主に、スレッドモータ７と、スレッドモータ７を駆動するドライバ２２と、スレッドモータ７の回転を減速して伝達し、その回転運動を光学ヘッド３の直線運動に変換する図示しない動力伝達機構とで構成されている。
【００２６】
光学ヘッド３は、レーザ光を発するレーザダイオード（光源）５及び分割フォトダイオード（受光部）６を備えた図示しない光学ヘッド本体（光ピックアップベース）と、図示しない対物レンズ（集光レンズ）とを有している。このレーザダイオード５の駆動は、レーザ制御部５４により制御される。
【００２７】
対物レンズは、光学ヘッド本体に設けられた図示しないサスペンションバネ（付勢手段）で支持され、光学ヘッド本体に対し、径方向及び対物レンズの光軸方向（光ディスク２（ターンテーブル）の回転軸方向）のそれぞれに変位（移動）し得るようになっている。以下、対物レンズの光軸方向を単に「光軸方向」といい、光ディスク２の回転軸方向を単に「回転軸方向」という。
【００２８】
この対物レンズは、光学ヘッド本体に予め設定されている対物レンズの基準位置（中点）、すなわち中立位置に配置されている。以下、対物レンズの基準位置を単に「基準位置」という。対物レンズが基準位置からずれると、その対物レンズは、サスペンションバネの復元力により基準位置に向かって付勢される。
【００２９】
また、光学ヘッド３は、光学ヘッド本体に対し、対物レンズを変位（移動）させるアクチュエータ４を有している。このアクチュエータ４は、光学ヘッド本体に対し、対物レンズを径方向に変位させるトラッキングアクチュエータ４１と、対物レンズを光軸方向（回転軸方向）に変位させるフォーカスアクチュエータ４２とで構成されている。
【００３０】
このアクチュエータ４、すなわち、トラッキングアクチュエータ４１及びフォーカスアクチュエータ４２は、それぞれ、ドライバ２１により駆動される。
【００３１】
制御手段９は、通常、マイクロコンピュータ（ＣＰＵ）で構成され、光学ヘッド３（アクチュエータ４、レーザダイオード５等）、スレッドモータ７、スピンドルモータ１１、ＲＦアンプＩＣ４０、サーボプロセッサ５１、デコーダ５２、メモリー５３、レーザ制御部５４、エンコーダ５５等、光ディスク装置１全体の制御を行う。なお、制御手段９は、メモリー（ＲＯＭ、ＲＡＭ等）９１を内蔵している。
【００３２】
この制御手段９により、光ディスク２が記録履歴のないブランクディスクであるか否かを識別（判別）するブランクディスク識別手段の主機能が達成される。なお、ブランクディスク識別手段については、後に詳述する。
【００３３】
また、本発明では、制御手段９は、ブランクディスク識別手段により装着された光ディスクがブランクディスクであると識別された場合には、その光ディスクに記録する際に通常照射するレーザパワーよりも所定のレベルだけ低いレーザパワーで記録するように、レーザ制御部５４を制御する。
【００３４】
この光ディスク装置１には、図示しないインターフェース制御部を介して外部装置（例えば、パーソナルコンピュータ（ＰＣ：Ｐｅｒｓｏｎａｌ  Ｃｏｍｐｕｔｅｒ））が着脱自在に接続され、光ディスク装置１と外部装置との間でデータの通信を行うことができる。
【００３５】
次に、本発明の光ディスク装置１の作用（動作）について説明する。
光ディスク装置１は、スレッドモータ７及びスピンドルモータ１１により光学ヘッド３を目的トラック（目的アドレス）に移動し、この目的トラックにおいて、フォーカスアクチュエータ４２によるフォーカス制御、トラッキングアクチュエータ４１によるトラッキング制御、スレッドモータ７によるスレッド制御及びスピンドルモータ１１による回転数制御（回転速度制御）等を行いつつ、光ディスク２への情報（データ）の書き込み（記録）と、光ディスク２からの情報（データ）の読み出し（再生）等を行う。
【００３６】
光ディスク２にデータ（信号）を記録する際は、光ディスク２に形成されているプリグルーブが再生され（読み出され）、この後、このプリグルーブに沿って、データが記録される。
【００３７】
図示しないインターフェース制御部を介して、光ディスク２に記録するデータ（信号）が光ディスク装置１に入力されると、そのデータ（信号）は、エンコーダ５５に入力される。
【００３８】
このエンコーダ５５では、そのデータがエンコードされ、ＥＦＭ（Ｅｉｇｈｔ  ｔｏ  Ｆｏｕｒｔｅｅｎ  Ｍｏｄｕｌａｔｉｏｎ）と呼ばれる変調方式で変調（ＥＦＭ変調）されて、ＥＮＣＯＤＥ  ＥＦＭ信号とされる。
【００３９】
このＥＮＣＯＤＥ  ＥＦＭ信号は、３Ｔ〜１１Ｔの長さ（周期）のパルスで構成される信号であり、エンコーダ５５からレーザ制御部５４に入力される。
【００４０】
また、アナログ信号であるＷＲＩＴＥパルス信号（電圧）が、制御手段９に内蔵される図示しないＤ／Ａ変換器から出力され、レーザ制御部５４に入力される。
【００４１】
レーザ制御部５４は、ＥＮＣＯＤＥ  ＥＦＭ信号に基づいて、制御手段９からのＷＲＩＴＥパルス信号のレベルをハイレベル（Ｈ）と、イレーズレベルと、ローレベル（Ｌ）とに切り換えて出力し、これにより光学ヘッド３のレーザダイオード５の駆動を制御する。
【００４２】
図２は、エンコーダ５５からのＥＮＣＯＤＥ  ＥＦＭ信号と、レーザ制御部５４からのＷＲＩＴＥパルス信号とを示すタイミングチャートである。
【００４３】
図２に示すように、レーザ制御部５４は、ＥＮＣＯＤＥ  ＥＦＭ信号のレベルがハイレベル（Ｈ）の期間、ＷＲＩＴＥパルス信号のレベルをハイレベル（Ｈ）とローレベル（Ｌ）とに交互に切り換えて出力し、レーザ光の出力を上げる（書き込み出力にする）。そして、ＥＮＣＯＤＥ  ＥＦＭ信号のレベルがローレベル（Ｌ）の期間、ＷＲＩＴＥパルス信号のレベルをイレーズレベル（ＤＣレベル）にして出力し、レーザ光の出力を下げる。
【００４４】
これにより、光ディスク２には、ＥＮＣＯＤＥ  ＥＦＭ信号のレベルがハイレベル（Ｈ）のとき、所定長のピットが書き込まれ、ＥＮＣＯＤＥ  ＥＦＭ信号のレベルがローレベル（Ｌ）のとき、所定長のランドが書き込まれる。
【００４５】
このようにして、光ディスク２の所定のトラックに、データが書き込まれる（記録される）。
【００４６】
この光ディスク２へのデータの記録は、プリグルーブに沿って、内周側から外周側に向かって順次なされる。
【００４７】
エンコーダ５５では、前述したＥＮＣＯＤＥ  ＥＦＭ信号の他に、所定のＥＮＣＯＤＥ  ＥＦＭ信号（ランダムＥＦＭ信号）が生成される。このランダムＥＦＭ信号は、レーザ光の書き込み出力を決定するＯＰＣ（Ｏｐｔｉｍｕｍ  Ｐｏｗｅｒ  Ｃｏｎｔｒｏｌ  ）において、テストエリアへの試し書きの際におけるレーザの出力調整（パワーコントロール）に用いられる。
【００４８】
光ディスク２からデータ（信号）を再生する（読み出す）際は、レーザ制御部５４からのＷＲＩＴＥパルス信号のレベルは、読み出し出力に対応する一定のレベル（ＤＣレベル）に保持され、これにより、レーザ光の出力が、読み出し出力に保持される。
【００４９】
再生の際は、レーザ光が、光学ヘッド３のレーザダイオード５から光ディスク２の所定のトラックに照射される。このレーザ光は、光ディスク２で反射し、その反射光は、光学ヘッド３の分割フォトダイオード６で受光される。
【００５０】
この受光量に応じた電流が分割フォトダイオード６から出力され、この電流は、図示しないＩ−Ｖアンプ（電流−電圧変換部）で、電圧に変換され、光学ヘッド３から出力される。
【００５１】
光学ヘッド３から出力された電圧（検出信号）は、ＲＦアンプＩＣ４０に入力され、このＲＦアンプＩＣ４０で、加算や増幅等を行うことにより、ＨＦ（ＲＦ）信号が生成される。このＨＦ信号は、光ディスク２に書き込まれているピットとランドに対応するアナログ信号である。
【００５２】
ＨＦ信号は、サーボプロセッサ５１に入力され、このサーボプロセッサ５１で、２値化され、ＥＦＭ（Ｅｉｇｈｔ  ｔｏ  Ｆｏｕｒｔｅｅｎ  Ｍｏｄｕｌａｔｉｏｎ）復調される。これにより、ＥＦＭ信号が得られる。このＥＦＭ信号は、３Ｔ〜１１Ｔの長さ（周期）のパルスで構成される信号である。
【００５３】
ＥＦＭ信号は、サーボプロセッサ５１で、所定形式のデータ（ＤＡＴＡ信号）にデコード（変換）されて、デコーダ５２に入力される。
【００５４】
そして、このデータは、デコーダ５２で、通信（送信）用の所定形式のデータにデコードされ、図示しないインターフェース制御部を介して、外部装置（例えば、パーソナルコンピュータなど）に送信される。
【００５５】
以上のような記録、再生動作におけるトラッキング制御、スレッド制御、フォーカス制御及び回転数制御は、次のようにして行われる。
【００５６】
前述したように、光学ヘッド３の分割フォトダイオード６からの電流−電圧変換後の信号（電圧）は、ＲＦアンプＩＣ４０に入力される。
【００５７】
ＲＦアンプＩＣ４０は、この分割フォトダイオード６からの電流−電圧変換後の信号に基づいて、トラッキングエラー信号（ＴＥ）（電圧）を生成する。
【００５８】
トラッキングエラー信号は、トラックの中心からの径方向における対物レンズのずれの大きさ及びその方向（トラックの中心からの対物レンズの径方向のずれ量）を示す信号である。
【００５９】
トラッキングエラー信号は、サーボプロセッサ５１に入力される。サーボプロセッサ５１では、このトラッキングエラー信号に対し、位相の反転や増幅等の所定の信号処理が行われ、これによりトラッキングサーボ信号（電圧）が生成される。このトラッキングサーボ信号に基づいて、ドライバ２１を介し、トラッキングアクチュエータ４１に所定の駆動電圧が印加され、このトラッキングアクチュエータ４１の駆動により、対物レンズは、トラックの中心に向かって移動する。すなわち、トラッキングサーボがかかる。
【００６０】
このトラッキングアクチュエータ４１の駆動のみでは、対物レンズをトラックに追従させることに限界があり、これをカバーすべく、ドライバ２２を介し、スレッドモータ７を駆動して光学ヘッド本体を対物レンズが移動した方向と同方向に移動し、対物レンズを基準位置に戻すように制御する（スレッド制御を行う）。
【００６１】
また、ＲＦアンプＩＣ４０は、分割フォトダイオード６からの電流−電圧変換後の信号に基づいて、フォーカスエラー信号（ＦＥ）（電圧信号）を生成する。
【００６２】
フォーカスエラー信号は、合焦位置からの光軸方向（回転軸方向）における対物レンズのずれの大きさ及びその方向（合焦位置からの対物レンズの光軸方向（回転軸方向）のずれ量）を示す信号である。
【００６３】
フォーカスエラー信号は、サーボプロセッサ５１に入力される。サーボプロセッサ５１では、このフォーカスエラー信号に対し、位相の反転や増幅等の所定の信号処理が行われ、これによりフォーカスサーボ信号（電圧）が生成される。このフォーカスサーボ信号に基づいて、ドライバ２１を介し、フォーカスアクチュエータ４２に所定の駆動電圧が印加され、このフォーカスアクチュエータ４２の駆動により、対物レンズは、合焦位置に向かって移動する。すなわち、フォーカスサーボがかかる。
【００６４】
また、サーボプロセッサ５１では、スピンドルモータ１１の回転数（回転速度）を制御するための制御信号（電圧）、すなわち、スピンドルモータ１１の回転数を目標値にするための制御信号が生成され、ドライバ２３に入力される。
【００６５】
ドライバ２３では、制御信号に基づいてスピンドルモータ１１を駆動する駆動信号（電圧）が生成される。
【００６６】
ドライバ２３から出力された駆動信号は、スピンドルモータ１１に入力され、その駆動信号に基づいてスピンドルモータ１１が駆動し、スピンドルモータ１１の回転数が目標値となるようにスピンドルサーボがかかる。
【００６７】
また、光学ヘッド３（対物レンズ）を光ディスク２上の目的位置、すなわち、目的トラック（目的アドレス）へ移動させる際、トラックジャンプ制御が行われる。このトラックジャンプ制御では、スレッドモータ７の駆動と、アクチュエータ４の駆動とをそれぞれ制御し、粗シーク（ラフサーチ）、精密シーク（ファインサーチ）、又はこれらの組み合わせにより、光学ヘッド３（対物レンズ）を目的トラック（目的アドレス）へ移動させる。
【００６８】
この光ディスク装置１は、記録速度（書き込み速度）、すなわち、記録の際の光ディスク２の回転速度（回転数）をｍ段階（ｍは、２以上の整数）の回転速度に設定し得るように構成されている。
【００６９】
例えば、記録速度、すなわち、記録の際の光ディスク２の回転速度を、１倍速（最小速度）、２倍速、４倍速、６倍速、８倍速、１０倍速、１２倍速、１６倍速、２４倍速、３２倍速等のいずれかに設定し得るようになっている。
【００７０】
Ｎ倍速（Ｎは、上述のように２以上の整数）とは、１倍速（最小速度）を基準回転速度（基準回転数）とし、この基準回転速度のＮ倍の回転速度をいう。したがって、記録速度がＮ倍速に設定されると、光ディスク２の回転速度を基準回転速度のＮ倍の回転速度にして記録を行う。
【００７１】
また、光ディスク装置１では、光ディスク２に対し上書きを行う場合の最高記録速度（以下、単に「上書きの最高記録速度」という）が設定されている。
【００７２】
次に、本発明の光ディスク装置１の上書き（ダイレクトオーバーライト：ＤＯＷ）動作を説明する。なお、ここでは、ブランクディスクに記録することをＤＯＷ０といい、初めて上書きするときをＤＯＷ１という。以降、上書きの回数がＸの場合、ＤＯＷＸという。
【００７３】
本発明の光ディスク装置１は、このＤＯＷ１における書き込み特性（特に、ピットジッタ、ランドジッタ、ブロックエラーレート（ＢＬＥＲ）など）を向上させるものである。以下、光ディスク２に上書きする際の動作を説明する。なお、ブロックエラーレートとは、すべての記録処理ブロック数に対する少なくとも１つのエラーを含むブロック数である。
【００７４】
まず、ＯＰＣについて説明する。ＣＤ−ＲやＣＤ−ＲＷなどの書き込み可能な光ディスク２には、プログラムエリアの内周側に、ＡＴＩＰ特殊情報を有するリードインエリア、ＰＭＡ（Ｐｒｏｇｒａｍ  Ｍｅｍｏｒｙ  Ａｒｅａ）、ＰＣＡ（Ｐｏｗｅｒ  Ｃａｌｉｂｒａｔｉｏｎ  Ａｒｅａ）が、外周側から内周側に向かって、この順序で順次設定されている。ＰＭＡは、トラックの開始、終了時間等が書き込まれるエリアである。
【００７５】
また、ＰＣＡは、さらに試し書きを行うテストエリア（Ｔｅｓｔ  Ａｒｅａ）と、そのカウント数を記録するカウントエリア（Ｃｏｕｎｔ  Ａｒｅａ）とに別れている。
【００７６】
ＯＰＣでは、テストエリアへ試し書きが行われる。テストエリアへの試し書きの際には、前記ランダムＥＦＭ信号が、エンコーダ５５からレーザ制御部５４に入力される。また、制御手段９では、１５段階のレベルのＷＲＩＴＥ  ＰＯＷＥＲ信号が生成され、そのＷＲＩＴＥ  ＰＯＷＥＲ信号が、制御手段９に内蔵される図示しないＤ／Ａ変換器から出力され、レーザ制御部５４に入力される。
【００７７】
そして、レーザ制御部５４は、前記ランダムＥＦＭ信号に基づいて、制御手段９からのＷＲＩＴＥ  ＰＯＷＥＲ信号のレベルをハイレベル（Ｈ）と、ローレベル（Ｌ）とに切り換えて出力し、これにより光学ヘッド３のレーザダイオード５の駆動を制御する。これを１５段階のレベルのＷＲＩＴＥ  ＰＯＷＥＲ信号のそれぞれで行う。
【００７８】
このようにして、１５段階の出力のレーザ光でテストエリアへの試し書きが行われる。この試し書きは、複数回（例えば、１００回）行うことができる。試し書きを１回行う毎に、カウントエリアにそのことを示すフラグを立てる。
【００７９】
ここで、光ディスクから読み出されたＨＦ（ＲＦ）信号のピーク値であって、ＨＦ信号の基準レベルからのその大きさと、ボトム値であって、前記基準レベルからのその大きさとの差に対応した値をβ（β値）とする。
【００８０】
光ディスク２から読み出されたＨＦ信号の基準レベルを０Ｖ（この場合、ＨＦ信号は、０Ｖを中心に上下に振れる）、ピーク値（波形の山部における電圧レベル）をＡ１、ボトム値（波形の谷部における電圧レベル）をＡ２としたとき、β（β値）は下記の式（１）で表わされる。
β＝（Ａ１＋Ａ２）／（Ａ１−Ａ２）・・・（１）
【００８１】
ＯＰＣでは、前記試し書きされたデータがテストエリアから読み出され、そのＨＦ信号から１５段階のＷＲＩＴＥ  ＰＯＷＥＲ信号に対応した１５種のβ（β値）を求め、その１５種のβ値のうち、予め設定された所定値に最も近いもののレーザ出力を適正なレーザ出力として定める（決定する）。
【００８２】
通常、光ディスク装置１に光ディスク２を挿入（装着）すると、ＯＰＣが実行され、このように決定されたレーザ出力（レーザパワー）で書き込み（記録）が行われる。
【００８３】
本発明の光ディスク装置１は、光ディスク２が記録履歴のないブランクディスク（以下、単に「ブランクディスク」という）である場合、すなわち、光ディスク２に対する１回目の記録においては、このＯＰＣで決定されたレーザパワーよりも所定のレベルだけ低いレーザパワーで記録を行うよう構成されている。
【００８４】
ここで、「所定のレベル」とは、ＯＰＣによって決定されたレーザパワーの５％〜３０％のレベルをいい、好ましくは、１０％〜２０％のレベルをいう。
【００８５】
なお、記録履歴の「記録」には、通常のデータの記録のみならず、例えば、光ディスク２をフォーマットした場合等も含まれる。
【００８６】
上述のように、光ディスク２がブランクディスクであるか否かの識別（判別）は、ブランクディスク識別手段（制御手段９）によりなされる。
【００８７】
光ディスク２がブランクディスクであるか否かを識別する際は、フォーカス制御、トラッキング制御及び回転数制御をそれぞれ行い、光学ヘッド３が光ディスク２のトラックやプリグルーブを横切るように、光学ヘッド３を径方向へ移動させつつ、光学ヘッド３を介して所定の信号（本実施形態では、ＨＦ信号）の検出を試みる。
【００８８】
このＨＦ信号の検出においては、光学ヘッド３を、少なくとも光ディスク２の記録が可能な領域の一端から他端まで移動させる。
【００８９】
この場合、光学ヘッド３を光ディスク２の内周側から外周側へ移動させてもよく、逆に、外周側から内周側へ移動させてもよいが、内周側から外周側へ移動させるのが好ましい。
【００９０】
そして、ブランクディスク識別手段（制御手段９）は、ＨＦ信号の検出において、ＨＦ信号が検出されない場合には、この光ディスク２をブランクディスクと識別し、ＨＦ信号が検出された場合には、この光ディスク２を記録履歴のあるディスク（ブランクディスクではない）と識別する。
【００９１】
光ディスク２がブランクディスクと識別されると、上述のように、記録時におけるレーザパワーがＯＰＣで決定されたレーザパワーよりも所定のレベルだけ低い値に設定され、光ディスク装置１は、そのレーザパワーで、光ディスク２に対し所定のデータを記録する。
【００９２】
一方、光ディスク２が記録履歴のある光ディスクと識別されると、光ディスク装置１は、ＯＰＣで決定されたレーザパワーで、光ディスク２に対し所定のデータを記録する。
【００９３】
この記録には、例えば、パケットライト等の各種フォーマットで光ディスク２をフォーマットする場合や、通常のデータを記録する場合等が含まれる。
【００９４】
次に、本発明の光ディスク装置１により光ディスク２にデータを上書きした際の書き込み特性について説明する。ここでは、ピットジッタ、ランドジッタ及びブロックエラーレートについて示す。
【００９５】
図３は、光ディスクに上書きをした際の上書きサイクルとピットジッタとの関係を示すグラフであり、図４は、光ディスクに上書きをした際の上書きサイクルとランドジッタとの関係を示すグラフであり、図５は、光ディスクに上書きをした際の上書きサイクルとブロックエラーレートとの関係を示すグラフである。
【００９６】
なお、ジッタ特性は、ジッタの値が小さいほど良い特性であることを示し、ブロックエラーレート（ＢＬＥＲ）特性は、その値が小さいほど良い特性であることを示す。
【００９７】
図３〜図５から分かるように、いずれの特性も２回目の書き込み、すなわち、初めての上書き（ＤＯＷ１）では、本発明の光ディスク装置１による書き込み特性は、すべての書き込みにおいてＯＰＣによって決定されたレーザパワーを用いている従来の光ディスク装置１の場合よりも良い値を示している。このように、ブランクディスクに書き込む（記録する）ときに、ＯＰＣによって決定されたレーザパワーよりも所定のレベルだけ小さいレーザパワーで記録することにより、特に、初めての上書き（ＤＯＷ１）のときの書き込み特性を向上（改善）することができる。
【００９８】
なお、本実施形態における実験データは、書き込みを１６倍速で行い、読み込みを２倍速で行ったときのものである。また、書き込み時のレーザパワーは、ＤＯＷ０のとき２０ｍＷであり、ＤＯＷ１以降では２２ｍＷである（従来の場合、ＤＯＷ０のときも２２ｍＷ）。
【００９９】
以上説明したように、本発明の光ディスク装置１によれば、記録履歴のない光ディスク（ブランクディスク）２にデータを記録する際（ＤＯＷ０のとき）にＯＰＣによって決定されたレーザパワーよりも所定のレベルだけ小さい（低い）レーザパワーで記録するので、光ディスク２に初めて上書きをする際（ＤＯＷ１のとき）の上書き特性（例えば、ジッタ、ブロックエラーレートなど）を向上させることができる。
【０１００】
また、本発明の光ディスク装置１はブランクディスク識別手段を有しているので、使用者（ユーザ）は、光ディスク２がブランクディスクであることを入力する必要がなく、操作が容易になる。
【０１０１】
ここで、上述の実施形態では、ブランクディスク識別手段が光ディスク装置１に設けられているが、本発明では、光ディスク装置１からブランクディスク識別手段を省略してもよい。
【０１０２】
ブランクディスク識別手段を設けない場合には、例えば、光ディスク２がブランクディスクであることを、使用者が外部装置（例えば、コンピュータ）から入力するような構成にすればよい。
【０１０３】
以上、本発明の光ディスク装置を、図示の実施形態に基づいて説明したが、本発明はこれに限定されるものではなく、各部の構成は、同様の機能を有する任意の構成のものに置換することができる。また、本発明の光ディスク装置に任意の構成物が付加されていてもよい。
【０１０４】
本発明の光ディスク装置は、例えば、ＣＤ−ＲＷ、ＤＶＤ−ＲＷ、ＤＶＤ＋ＲＷ、ＤＶＤ−ＲＡＭ等の上書き（書き換え）が可能な光ディスクに対し記録・再生（上書き及び再生）する各種光ディスク装置や、記録専用の各種光ディスク装置に適用することができる。
【０１０５】
また、本発明の光ディスク装置は、複数種の光ディスクに対し記録・再生又は記録する各種光ディスク装置に適用することもできる。
【０１０６】
【発明の効果】
以上説明したように、本発明によれば、上書き可能な光ディスクに初めて上書きをする際の上書き特性（例えば、ジッタ、ブロックエラーレートなど）を向上させることができる。
【０１０７】
また、ブランクディスク識別手段を有する場合には、使用者（ユーザ）は、光ディスクが記録履歴のないブランクディスクであることを入力する必要がなく、操作が容易になる。
【図面の簡単な説明】
【図１】本発明の光ディスク装置の実施形態を示すブロック図である。
【図２】本発明におけるエンコーダからのＥＮＣＯＤＥ  ＥＦＭ信号と、レーザ制御部からのＷＲＩＴＥパルス信号とを示すタイミングチャートである。
【図３】光ディスクに上書きをした際の上書きサイクルとピットジッタとの関係を示すグラフである。
【図４】光ディスクに上書きをした際の上書きサイクルとランドジッタとの関係を示すグラフである。
【図５】光ディスクに上書きをした際の上書きサイクルとブロックエラーレートとの関係を示すグラフである。
【符号の説明】
１              光ディスク装置
２              光ディスク
３              光学ヘッド
４              アクチュエータ
４１            トラッキングアクチュエータ
４２            フォーカスアクチュエータ
５              レーザダイオード
６              分割フォトダイオード
７              スレッドモータ
９              制御手段
９１            メモリー
１１            スピンドルモータ
２１〜２３      ドライバ
４０            ＲＦアンプＩＣ
５１            サーボプロセッサ
５２            デコーダ
５３            メモリー
５４            レーザ制御部
５５            エンコーダ
【図１】
2004296027.tif 000003
【図２】
2004296027.tif 000004
【図３】
2004296027.tif 000005
【図４】
2004296027.tif 000006
【図５】
2004296027.tif 000007